(57)【要約】【課題】  時計バンドに使用する尾錠で、バンド締結がしやすく、バンドの損傷を防止し、バンドを係合する突棒で衣類や人体に損傷を与えない、時計用バンドを提供すること。【解決手段】  バンド１２の先端に尾錠枠１１と、該尾錠枠１１に回転ローラー１４を設けた尾錠１０において、回転ローラー１４は尾錠枠の前方に軸架され、他方のバンドを係合する突棒１３と連通する位置に、周状溝１４ａを形成し、前記突棒１３は、バンド締結時に突棒先端部１３ａは周状溝１４ａに収まり、尾錠枠１１より上に突出しない構造で成り、前記突棒先端部１３ａと前記周状溝１４ａは係合する事を特徴とする。【選択図】      図１
2006212107.tif 000002
【特許請求の範囲】
【請求項１】
時計用バンドに使用する尾錠で、該尾錠枠内に回転ローラーを備える尾錠構造において、前記回転ローラーに周状溝を設け、バンドを締結する突棒は、バンド締結時に前記周状溝に収納されることを特徴とする時計用バンド尾錠構造。
【請求項２】
時計用バンドに使用する尾錠で、該尾錠枠内に回転ローラーを備える尾錠構造において、前記回転ローラーは尾錠枠前部の下面に配置し、前記回転ローラーには周状溝を設け、前記尾錠枠前部の内側に、前記周状溝と連通した位置に切欠を設け、バンド締結時の突棒は前記回転ローラーの周状溝に収納することを特徴とする時計用バンド尾錠構造。
【請求項３】
バンド締結時の前記突棒は、前記回転ローラーの周状溝に収納され、前記尾錠枠前部に突棒先端部が乗らない構造としたことを特徴とする請求項１または請求項２に記載の時計用バンド尾錠構造。
【請求項４】
前記回転ローラーに形成された前記周状溝は、その形状が凹溝形状、面取り形状、Ｒ面取り形状、テーパー形状、Ｖ溝形状またはＲ溝形状の中の少なくとも１つからなることを特徴とする請求項1から請求項３のいずれか1項に記載の時計用バンド尾錠構造。
【請求項５】
前記周状溝を形成する内壁または前記突棒先端部を形成する側壁には、双方を係合するための、係合部または係止部の少なくとも１つが設けられたことを特徴とする請求項１から請求項４のいずれか1項に記載の時計用バンド尾錠構造。
【請求項６】
前記係合部の形状は、前記突棒先端部を形成する側壁に、突起部、溝部または平面部の少なくとも１つが形成され、前記周状溝に係合されることを特徴とする請求項5記載の時計用バンド尾錠構造。
【請求項７】
前記係止部の形状は、前記周状溝を形成する内壁に、周状凸部、周状凹部または平面部の少なくとも1つが形成され、前記突棒先端部を係止することを特徴とする請求項５に記載の時計用バンド尾錠構造。
【請求項８】
尾錠枠前部に突棒収納部が無く、前記尾錠枠前部の全面にロゴまたはマークが施されたことを特徴とする請求項１、請求項３から請求項7のいずれか1項に記載の時計用バンド尾錠構造。
【発明の詳細な説明】
【技術分野】
【０００１】
本発明は、一方のバンドと他方のバンドを連結するための時計用バンド尾錠構造に関する。
【背景技術】
【０００２】
従来から腕時計などの携帯用時計では、時計用バンドとして、一般的に金属製のものと、皮革素材を用いた皮革ベルト式や、合成樹脂素材を用いた合成樹脂ベルト式のものに大別される。時計本体の１２時側と６時側とに各々取り付けられたバンドを連結するのに、前者の金属製バンドにあっては、中留と呼ばれる連結具が用いられ、後者の皮革ベルト式バンドまたは合成樹脂ベルト式バンドにあっては、バンドを連結するのに尾錠と呼ばれる連結具が多用されている。本発明は後者の尾錠を用いた皮革ベルト式バンドまたは合成樹脂ベルト式バンドに属する発明である。
【０００３】
図１３は従来の尾錠を備えた時計用バンド３０で、尾錠側のバンドと他方のバンドを締結した状態を示した斜視図である。部品構成としては、バンド３２の先端にバネ棒３８で連結された尾錠枠３１及び突棒３３と、前記尾錠枠３１に挿通され前記突棒３３が係合穴３５ａに係止される他方のバンド３５とからできている。
【０００４】
バンド３２には、その先端に貫通穴と該貫通穴と直交する切欠を有し、基部に貫通穴を有する突棒３３を前記切欠に配置し、前記貫通穴にバネ棒３８を挿通し、前記尾錠枠３１の両端に形成されたバネ棒固定穴３７に前記バネ棒３８の両端を差し込み、軸架し、前記尾錠枠３１との位置が固定される。尾錠枠３１、バンド３２および突棒３３は、バネ棒３８を軸に、回転可能に取付けられている。
【０００５】
前記他方のバンド３５には、前記突棒３３と係合するための係合穴３５ａが複数個、バンド長手方向に形成され、前記係合穴３５ａと前記突棒３３とが一致する所望の位置で、突棒３３を係合穴３５ａに差し込み、尾錠枠３１と他方のバンド３５の双方を係合させると共に、前記他方のバンド３５の先端を、固定挿通輪３９に挿通固定することにより、尾錠枠３１側のバンド３２と他方のバンド３５とを連結固定するものである。
【０００６】
また、時計用バンドで、尾錠枠内に回転ローラーを備えた例として、実開昭５５−５９９１４号公報記載の構造が開示されている。
【０００７】
【特許文献１】実開昭５５−５９９１４号公報
【０００８】
特許文献１に開示されたところの構造で形成した時計用バンド尾錠構造の概要を、図１４から図１６を用いて説明する。図１４は回転ローラー３４を備えた尾錠構造４０の斜視図。図１５は図１４の尾錠枠３１に他方のバンド３５を締結した状態を示した断面図。図１６は図１４の上面図である。前記尾錠構造４０は、バンド３２、尾錠枠３１、他方のバンド３５と係合するための突棒３３、前記尾錠枠３１とバンド３２と突棒３３を連架するためのバネ棒３８、回転ローラー３４と前記回転ローラー３４を軸架するための回転ローラー用バネ棒３６で構成される。
【０００９】
前記尾錠枠３１と突棒３３は、バンド３２の先端に設けられた貫通穴にバネ棒３８で回転可能に取付けられている。また、回転ローラー３４は円筒状の形状を成し、中心に貫通穴が施され、前記貫通穴に回転ローラー用バネ棒３６を挿通し、尾錠枠３１前部の両側に軸架され、前記回転ローラー３４は軸を中心に前後に回転する構造を成す。この考案では
、バンドを締結する際に、回転ローラーの回転作用により円滑に装着でき、特に皮革バンドで、表面に凹凸があるバンドの損傷を、防止することを特徴として述べている。
【発明の開示】
【発明が解決しようとする課題】
【００１０】
前記従来例で取り上げた特許文献１の回転ローラーを備えた尾錠構造４０は、図１４から図１６に示すように回転ローラー３４は尾錠枠前部３１ａの下面にあり、バンド締結時の突棒先端部３３ａは尾錠枠前部３１ａに乗り掛かるように収まる構造となっている。従って前記突棒３３は尾錠枠前部３１ａより上側に突出している。これは突棒３３が、突出していることにより、衣類や物、または人体などに引っ掛かることが多く、衣類、人体等に損傷を与えることもあった。
【００１１】
また、図１５の断面図が示すように、バンド締結時における他方のバンド３５は、その構造から回転ローラー３４で受けて支え、さらに離れた位置にある突棒３３が、係合穴３５ａに差し込まれ、他方のバンド３５は大きく湾曲した形で係合されている。他方のバンド３５を締め付けた負荷は、バンドが受け、支えている箇所が離れていることと、他方のバンド３５は大きく湾曲して装着されていることにより係合穴３５ａに掛かり、他方のバンド３５を変形させ、バンドの損傷を早める結果となる。
【００１２】
また、通常は前記バンド締結でバンドの締め付け具合を、多少ゆとりのある状態で締めるが、この状態での突棒３３は、日常生活で携帯用時計を装着している動作の中で、他方のバンド３５が摺動することにより、追動して突棒収納部３１ｂより前記突棒３３は上下に反復する。この状態が続くことで、衣類や物、または人体などに引っ掛かり、衣類、人体等に損傷を与えてしまうことが時々起こる問題がある。
【００１３】
また、従来のバンドでは、尾錠枠前部３１ａへは突棒収納部３１ｂが設けてあり、尾錠枠前部３１ａは狭くなり、前記尾錠枠３１ａを全面に使用したロゴやマークは設けにくく、デザイン的にロゴやマークが強調しにくい尾錠枠３１構造となっていたなどの問題があった。
【００１４】
本発明の目的は以上のような課題を解決しようとするもので、バンド締結がしやすく、且つバンドの損傷を防止し、バンドを締結する突棒により衣類や物、または人体などに損傷を与えず、さらにデザインと機能を一体化し、外観品質を損なわない時計用バンド尾錠構造を提供するものである。
【課題を解決するための手段】
【００１５】
本発明は以上のような従来の課題を解決するため、さらに本願発明の目的を達成するために成されたもので、本発明の請求項１記載に係る時計用バンド尾錠構造は、時計用バンドに使用する尾錠で、該尾錠枠内に回転ローラーを備える尾錠構造において、前記回転ローラーに周状溝を設け、バンドを締結する突棒は、バンド締結時に前記周状溝に収納されることを特徴とする。
【００１６】
次に、本発明の請求項２記載に係る時計用バンド尾錠構造は、時計用バンドに使用する尾錠で、該尾錠枠内に回転ローラーを備える尾錠構造において、前記回転ローラーは尾錠枠前部の下面に配置し、前記回転ローラーには周状溝を設け、前記尾錠枠前部の内側に、前記周状溝と連通した位置に切欠を設け、バンド締結時の突棒は前記回転ローラーの周状溝に収納することを特徴とする。
【００１７】
次に、本発明の請求項３記載に係る時計用バンド尾錠構造は、バンド締結時の前記突棒は、前記回転ローラーの周状溝に収納され、前記尾錠枠前部に突棒先端部が乗らない構造
としたことを特徴とする。
【００１８】
次に、本発明の請求項４記載に係る時計用バンド尾錠構造は、前記回転ローラーに形成された前記周状溝は、その形状が凹溝形状、面取り形状、Ｒ面取り形状、テーパー形状、Ｖ溝形状またはＲ溝形状の中の少なくとも１つからなることを特徴とする。
【００１９】
次に、本発明の請求項５記載に係る時計用バンド尾錠構造は、前記周状溝を形成する内壁または前記突棒先端部を形成する側壁に、双方を係合するための、係合部または係止部の少なくとも１つが設けられたことを特徴とする。
【００２０】
次に、本発明の請求項６記載に係る時計用バンド尾錠構造は、前記係合部の形状は、前記突棒先端部を形成する側壁に、突起部、溝部または平面部の少なくとも１つが形成され、前記周状溝に係合されることを特徴とする。
【００２１】
次に、本発明の請求項７記載に係る時計用バンド尾錠構造は、前記係止部の形状は、前記周状溝を形成する内壁に、周状凸部、周状凹部または平面部の少なくとも1つが形成され、前記突棒先端部を係止することを特徴とする。
【００２２】
次に、本発明の請求項８記載に係る時計用バンド尾錠構造は、尾錠枠前部に突棒収納部が無く、前記尾錠枠前部の全面にロゴまたはマークが施されたことを特徴とする。
【発明の効果】
【００２３】
以上のように本発明の時計用バンド尾錠構造１０によれば、請求項１の効果は、尾錠枠１１に回転ローラー１４を備える尾錠構造１０において、回転ローラー１４に周状溝１４ａを設け、バンド締結時の突棒１３は前記周状溝１４ａに収納され、突棒先端部１３ａは尾錠枠前部１１ａより下部に有り、尾錠枠１１より上に突出しないことで、衣類や物、または人体などに引っ掛かることが少なく、衣類、人体等に損傷を与えにくい効果がある。さらに突棒先端部１３ａは周状溝１４ａに収まり位置が安定し、装着後も位置ズレなどの問題が無いこと。また、携帯用時計を腕（手首）への装着の際は、回転ローラー１４の回転作用により、他方のバンド１５への接触時の抵抗は極めて少なくなり、円滑にバンドが装着でき、且つ、日常生活で、繰り返し行われる携帯用時計脱着で、特に弱いとされる皮革バンド表面等への損傷が少なくなる効果がある。
【００２４】
本発明の請求項２の効果は、回転ローラー１４は尾錠枠前部１１ａの下面側に配置され、前記回転ローラーに周状溝１４ａを設け、前記尾錠枠前部１１ａの内側に、前記周状溝と連通した位置に切欠１１ｂを設け、バンド締結時の突棒１３は前記周状溝１４ａに収納されることにより、回転ローラー１４は尾錠枠前部１１ａの下面側に隠れ、回転ローラー１４を備えない通常の時計用バンドの尾錠部と同様な外観となり、回転ローラーを備えた尾錠枠とは見えない外観的な効果がある。また、突棒先端部１３ａは尾錠枠前部１１ａより下部に有り、尾錠枠より上に突出しないことで、衣類や物、または人体などに引っ掛かることが少なく、衣類、人体等に損傷を与えにくい効果がある。さらに突棒先端部１３ａは周状溝１４ａに収まり位置が安定し、装着後も位置ズレなどの問題が無いこと、また、携帯用時計を腕（手首）への装着の際は、回転ローラー１４の回転作用により、他方のバンド１５への接触時の抵抗は極めて少なり、円滑にバンドが装着でき、且つ、日常生活で、繰り返し行われる携帯用時計脱着で、特に弱いとされる皮革バンド表面等への損傷が少なくなる効果がある。
【００２５】
本発明の請求項３は、バンド締結時の突棒１３は、回転ローラー１４の周状溝１４ａに収納され、尾錠枠前部１１ａに突棒先端部１３ａが乗らない構造としたことを特長としており、バンド締結時に前記突棒先端部１３ａは周状溝１４ａに収まり安定し、装着後も位
置ズレ等の問題が無い。また、突棒先端部１３ａは尾錠枠１１ａより下部に有り、尾錠枠より上に突出せず衣類や物、または人体などに引っ掛かることが少なく、衣類、人体等に損傷を与えにくくなる効果がある。また、図２の断面図で示すように、バンド締結時における他方のバンド１５は、回転ローラー１４で受け、支える形となり、さらに周状溝１４ａで突棒先端部１３ａを受けるので、双方の支えている位置は近くなり、前記他方のバンド１５は大きく湾曲することなく係合できる。また、バンドを締め付けた時、バンドを大きく湾曲させることなく、装着することが可能となる。
【００２６】
本発明の請求項４は、回転ローラー１４に形成された周状溝１４ａの溝の形状を特徴とするもので、図７に示す（Ａ）凹溝形状、（Ｂ）面取り形状、（Ｃ）Ｒ面取り形状、（Ｄ）テーパー形状、（Ｅ）Ｖ溝形状または（Ｆ）Ｒ溝形状などが形状としてあるが、いずれもその形状を成すことで、バンド締結時の突棒先端部１３ａは周状溝１４ａに収まり易い構造となる。且つ装着後の突棒１３は位置が安定して収まり、位置ズレ等による他方のバンド１５への磨耗や損傷が極めて少ない効果がある。
【００２７】
本発明の請求項５は、前記周状溝１４ａと前記突棒先端部１３ａ双方を係合するための、係合部１３ｂまたは係止部１４ｂを少なくとも１つ設けられたことを特徴としている。これは、日常生活で携帯用時計装着におけるバンド緩みによる突棒先端部１３ａの突出を防止するためのもので、特にバンドの締め付け具合を、多少ゆとりのある状態で締結した時は、装着中に他方のバンド１５は摺動することにより、追動して突棒１３は尾錠枠１１より上方へ持ち上げられるように突出する動きを反復する。この状態が頻繁に起こると、衣類や物、または人体などに引っ掛かり、衣類、人体等に損傷を与えてしまうことになる。本発明はこの様な状態になることを防ぐための構造で、係合部または係止部を設けることで、突棒先端部１３ａは周状溝１４ａに係合された状態で収まり、容易に突棒１３が突出しない効果がある。
【００２８】
本発明の請求項６は、前記係合部１３ｂ、１３ｃの構造で、図９または図１０に示すように突棒先端部１３ａの側壁に突起部１３ｂまたは溝部１３ｃを設けることを特徴とするもので、係合する周状溝に形成された係止部１４ｂ、１４ｃの構造により、前記係止部に合わせた形の突起部１３ｂ、溝部１３ｃ、または平面部の中の少なくとも１つを選択し、形成することにより、係合部と係止部双方が係合した時の係合度合いを、調整できる効果がある。
【００２９】
本発明の請求項７は、前記係止部１４ｂ，１４ｃの構造で、図１１または図１２に示すように周状溝１４ａの内壁に周状凸部１４ｂまたは周状凹部１４ｃを設けることを特徴とするもので、係合する突棒先端部１３ａの係合部１３ｂ、１３ｃの構造により、前記係合部に合わせた形状の周状凸部１４ｂ、周状凹部１４ｃ、または平面部の中の少なくとも１つを選択し、形成することにより、係合部と係止部双方が係合した時の係合度合いを、調整できる効果がある。
【００３０】
本発明の請求項８は、図８が示すように尾錠枠前部１１ａに突棒収納部が無く、前記尾錠枠前部１１ａの全面にロゴ１９またはマークを施すことができることを特徴とするもので、バンド締結時に突棒先端部１３ａは尾錠枠前部１１ａに乗り掛からず、前記尾錠枠前面１１ａに、装飾用のロゴ１９やマークを全面に形成することが可能で、デザインや仕様設定時における制約等が無く、仕様を決めることができ、さらにロゴ１９やマークを強調でき、装飾的価値を高める効果がある。
【００３１】
本発明のさらなる効果として、この時計用バンド尾錠構造は従来技術および設備で生産可能な構造から成り、且つ大量生産が可能な方法で製作することが出来、機能と外観が一体となった時計用バンドを提供できる効果がある。
【発明を実施するための最良の形態】
【００３２】
以下に本発明の実施例を詳細に説明する。
【００３３】
実施例１として図１から図３に基づいて、本発明の請求項１の回転ローラーを備えた尾錠構造１０を説明する。図１は本発明の回転ローラー１４を備えた尾錠構造１０を示す斜視図。図２は図１の尾錠枠１１に他方のバンド１５が締結された状態を示す断面図。図３は図１の上面図である。基本構成として、バンド１２の先端にバネ棒１８を介して取付けられた尾錠枠１１及び突棒１３と、前記尾錠枠１１に回転ローラー用バネ棒１６を介して取付けられた回転ローラー１４と、前記突棒１３と係合する他方のバンド１５とで構成されている。
【００３４】
前記バンド１２には、その先端に貫通穴と該貫通穴と直交する切欠を有し、基部に貫通穴を有する突棒１３を前記切欠に配置し、前記貫通穴にバネ棒１８を挿通し、前記尾錠枠１１の両端に形成されたバネ棒固定穴１７に前記バネ棒１８の両端を差し込み、軸架し、前記尾錠枠1１との位置が固定される。尾錠枠１１、バンド１２および突棒１３は、バネ棒１８を軸に、回転可能に取付けられている。
【００３５】
回転ローラー１４はその中心に貫通穴があり、前記貫通穴に回転ローラー用バネ棒１６を挿通し、尾錠枠１１に設けられた回転ローラー固定穴１１Ｃに回転ローラー用バネ棒１６の両端を差し込み、軸架する。前記回転ローラー１４は回転ローラー用バネ棒１６を軸に、前後に円滑な回転を成す。また、尾錠枠１１に回転ローラー１４が取付けられ、前記突棒先端部１３ａは回転ローラー１４の周状溝１４ａに収まる構造となる。
【００３６】
前記回転ローラー１４は、真鍮材やアルミ材などの棒材を用いて、ＮＣ自動旋盤で指定された形状をプログラムにより、貫通穴加工、形状加工、切断の順で切削加工にて形成される。切削工具には、一般に超硬工具であるタングステンチップが取付けられたバイトで行うが、回転ローラー１４の表面状態を鏡面仕上げとする場合は、ダイヤモンドチップ付きのバイトで行なう。ダイヤモンドチップバイトで加工すると、形成された回転ローラー１４の各面は鏡面状に輝く面状態にでき、その結果、回転を滑らかにし、バンドを装着する際の他方のバンド１５を締め付け時の抵抗を、さらに軽減できる部品が形成される。
【００３７】
前記切削加工において、回転ローラー１４には周状溝１４ａが形成される。図７は周状溝１４ａの溝の代表的な形状を示している。（Ａ）凹溝形状、（Ｂ）面取り形状、（Ｃ）Ｒ面取り形状、（Ｄ）テーパー形状、（Ｅ）Ｖ溝形状または（Ｆ）Ｒ溝形状などが形状としてあるが、いずれもその形状を成すことで、バンド締結時の突棒先端部１３ａは周状溝１４ａに収まり易い構造となり、装着時の位置ズレを抑止するために形成される。
【００３８】
前記切削加工で形成された回転ローラー１４は、湿式メッキ手法で指定された仕様に従い貴金属調の表面処理を行い、全面に金属装飾被膜を施すことで、回転ローラー１４は錆にくく耐蝕性があり、滑らかな回転を維持するために形成される。
【００３９】
次に、本発明による尾錠構造を備えた携帯用時計を腕に装着する方法について説明する。先ず、携帯用時計を腕の上に置き、尾錠枠１１に対して突棒１３を上に立て、他方のバンド１５の先端部のコの字形をした尾錠枠１１の内側へ、下側より差し込む。さらに尾錠枠１１内側より上に飛び出した他方のバンド１５の先端部を引き上げる。この時、前記他方のバンド１５の表面側は回転ローラー１４に接触し、回転ローラー１４は尾錠枠前部１１ａ側（前方）に、引き上げに応じて滑らかに前転し、回転ローラー１４の回転作用により、わずかな力で他方のバンド１５を引き上げ、バンドを締め付けることが可能となる。これは、非力の人や年配者、女性、子供が使用する携帯時計用バンドには有効な構造であ
ることが言える。
【００４０】
引き上げられた他方のバンド１５には、前記突棒１３と係合するための係合穴１５ａが複数個、バンド長手方向に形成されており、他方のバンド１５の引き上げを、適度の締め付け具合になった状態で、前記係合穴１５ａと前記突棒１３とが一致する所望の位置で、突棒１３を前方に倒し、前記係合穴１５ａに差し込む。さらに他方のバンド１５の先端部をバンド１２側に倒すことで、前記バネ棒１８を軸として、前記突棒１３は尾錠枠前部１１ａ側の前方に倒れ、突棒先端部１３ａは回転ローラー１４に形成された周状溝１４ａに収まる。尾錠枠１１側のバンド１２と他方のバンド１５の双方は連結固定され、携帯用時計は腕（手首）に装着される。
【００４１】
前記携帯用時計の装着で、前記突棒１３は、前記回転ローラー１４の周状溝１４ａに収納され、前記突棒先端部１３ａは周状溝１４ａに収まり安定し、携帯用時計装着中の位置ズレ等による他方のバンド１５の磨耗や損傷は少なくなる。また、前記突棒先端部１３ａは尾錠枠前部１１ａより下部に有り、尾錠枠より上に突出しない構造なので、日常生活の動作で、衣類や物、または人体などに引っ掛かることが少なく、衣類、人体等に損傷を与えにくくなる。また、繰り返し行われる携帯用時計脱着で、特に弱いとされる表面側に凹凸模様が施された、皮革バンド表面の損傷が、少なくなる構造と成る。
【００４２】
次に、実施例２として、図４から図６に基づいて、本発明の請求項２の回転ローラーを備えた尾錠構造２０の、実施形態を説明する。図４は本発明の回転ローラーを備えた尾錠構造２０を示す斜視図。図５は図４に他方のバンド１５が締結された状態を示す断面図。図６は図４の上面図を示す。尚、部品構成、組み立て方法、回転ローラーの形成方法と尾錠枠への取り付け方法、腕（手首）への携帯用時計装着方法等は前記実施例１で説明した内容と同様である。
【００４３】
前記図４から図６の図面から実施例２の特徴としては、回転ローラー１４は尾錠枠前部１１ａの下面に位置し、回転ローラー１４に周状溝１４ａを設け、尾錠枠前部１１ａの内側で周状溝１４ａに連通した位置（周状溝１４ａの真上）に切欠１１ｂを形成し、バンド締結時には、係合された突棒１３とその突棒先端部１３ａは前記周状溝１４ａに収まる構造と成る。
【００４４】
バンド締結時の回転ローラー１４は尾錠枠前部１１ａの下面にあり、上方から見た時、回転ローラー１４は前記尾錠枠前部１１ａの陰で見えない位置にあり、回転ローラーを備えない通常の時計用バンドの尾錠構造と同様な外観となる。回転ローラーを備えた尾錠枠とは見えない外観的な効果と、非力の人が使用するに有効な機能が一体となった尾錠枠を備えた時計用バンド用尾錠構造を成す。
【００４５】
さらに実施例２は実施例１と同様の機能を成し、前記携帯用時計の腕（手首）への装着で、突棒１３は、回転ローラー１４の周状溝１４ａに収納され、前記突棒先端部１３ａは周状溝１４ａに収まり安定し、携帯用時計装着中の位置ズレ等による他方のバンド１５の磨耗や損傷は少なくなる。また、突棒先端部１３ａは尾錠枠前部１１ａより下部に有り、尾錠枠より上に突出しない構造なので、日常生活の動作で、衣類や物、または人体などに引っ掛かることが少なく、衣類、人体等に損傷を与えない構造となる。また、繰り返し行われる携帯用時計脱着で、特に弱いとされる表面側に凹凸模様が施された、皮革バンド表面への損傷が、少なくなる構造と成ることを特徴としている。
【００４６】
次に、実施例３として、図９から図１２、および前記実施例1または前記実施例２に基づいて本発明の請求項５から請求項７までの実施形態を説明する。図９は尾錠枠１１の部分斜視図で、突棒先端部１３ａの側壁に突起部１３ｂと、回転ローラー１４の周状溝１４
ａの内壁に周状凹部１４ｃを形成した状態を示す。図１０は突棒先端部１３ａの側壁に溝部１３ｃを形成した部分斜視図を示す。図１１は回転ローラー１４の周状溝１４ａ部の部分断面図で、周状溝１４ａの内壁に周状凸部１４ｂを形成した状態を示す。図１２は回転ローラー１４の周状溝１４ａの内壁に周状凹部１４ｃを形成した部分断面図を示す。
【００４７】
前記図面が示す構造としての特徴は、前記周状溝１４ａと前記突棒先端部１３ａ双方を係合するための、係合部１３ｂまたは係止部１４ｂが少なくとも１つ施されている。携帯用時計の腕（手首）への装着で、通常はバンドの締め付け具合を、多少ゆとりのある状態で締結するが、装着中に他方のバンド１５が摺動することにより、追動して突棒１３は外側へ突出しやすい。この状態が頻繁に起こると、衣類や物、または人体などに引っ掛かり、衣類、人体等に損傷を与えてしまうことになる。実施例３の構造は、この様な状態になることを防ぐためのもので、前記周状溝１４ａと前記突棒先端部１３ａへ、係合部１３ｂまたは係止部１４ｂを設けることで、突棒先端部１３ａは周状溝１４ａに係合された状態で収まり、容易に突棒１３が突出しない構造となる。
【００４８】
携帯用時計の腕（手首）への装着で、他方のバンド１５を尾錠枠１１側に締結する際、突棒先端部１３ａは回転ローラー１４に形成された周状溝１４ａに収まる過程で、突棒先端部１３ａの側壁に施された突起部１３ｂは周状溝１４ａの内壁に、周状凸部１４ｂ、周状凹部１４ｃまたは平面の中の1つが施された箇所に係合され、収まる。
【００４９】
係合された状態の前記突棒１３と周状溝１４ａは、携帯用時計の腕（手首）への装着中においては、他方のバンド１５が摺動することにより、追動して前記突棒１３を突き上げる動きが生じるが、双方は係合を保ち、不用意には外れない状態を維持する。従って突棒１３が突出しない構造と成る。
【００５０】
携帯用時計を外す際は、他方のバンド１５の端部を引き上げることにより、突棒１３は他方のバンド１５の係合穴１５ａに挿通された状態で突棒先端部１３ａは上方に引き上げられ、前記係合された突棒先端部１３ａは周状溝１４ａから容易に外れ、さらに引き上げられると突棒先端部１３ａは前記係合穴１５ａより抜け、突棒１３は外れ、開放された状態となり、尾錠側のバンド１２と他方のバンド１５の締結は簡単に解除できる構造を成る。
【００５１】
前記実施例１、実施例２および実施例３におけるバンドは、一般的な皮革バンドを例として説明したが、合成樹脂素材と用いた合成樹脂ベルト式バンドにおいても、同様の機能が発揮され、また、時計用バンドだけでなく、衣服などに用いられる尾錠を備えた装飾用バンドにおいても、同様の効果を成すものである。
【図面の簡単な説明】
【００５２】
【図１】本発明に係る時計用バンド尾錠枠の斜視図である。
【図２】図１にバンドが締結された状態の断面図である。
【図３】図１の上面図である。
【図４】実施例２の時計用バンド尾錠枠の斜視図である。
【図５】図４にバンドが締結された状態の断面図である。
【図６】図４の上面図である。
【図７】回転ローラーの周状溝の形状種類を示し、（Ａ）凹溝形状、（Ｂ）面取り形状、（Ｃ）Ｒ面取り形状、（Ｄ）テーパー形状、（Ｅ）Ｖ溝形状、（Ｆ）Ｒ溝形状の部品図である。
【図８】尾錠枠前部にロゴまたはマークが成る上面図である。
【図９】尾錠枠部の部分斜視図で、突棒先端に突起部と周状溝に周状凹部を形成。
【図１０】尾錠枠部の部分斜視図で、突棒先端に溝部を形成。
【図１１】回転ローラーの周状溝へ、周状凸部を形成した部分断面図である。
【図１２】回転ローラーの周状溝へ、周状凹部を形成した部分断面図である。
【図１３】従来の時計用バンドの斜視図である。
【図１４】従来例の回転ローラー付時計用バンドの斜視図である。
【図１５】図１４にバンドが締結された状態の断面図である。
【図１６】図１４の上面図である。
【符号の説明】
【００５３】
１０‥‥‥‥‥‥‥本発明の時計用バンド尾錠構造
１１、３１‥‥‥‥尾錠枠
１１ａ、３１ａ‥‥尾錠枠前部
１１ｂ‥‥‥‥‥‥切欠
１１ｃ‥‥‥‥‥‥回転ローラー固定穴
１２、３２‥‥‥‥バンド（尾錠取付け側）
１３、３３‥‥‥‥突棒
１３ａ、３３ａ‥‥突棒先端部
１３ｂ‥‥‥‥‥‥突起部
１３ｃ‥‥‥‥‥‥溝部
１４、３４‥‥‥‥回転ローラー
１４ａ‥‥‥‥‥‥周状溝
１４ｂ‥‥‥‥‥‥周状凸部
１４ｃ‥‥‥‥‥‥周状凹部
１５、３５‥‥‥‥他方のバンド
１５ａ、３５ａ‥‥係合穴
１６、３６‥‥‥‥回転ローラー用バネ棒
１７、３７‥‥‥‥バネ棒固定穴
１８、３８‥‥‥‥バネ棒（尾錠枠、突棒、バンド軸架用）
１９‥‥‥‥‥‥‥ロゴ、マーク表示
２０‥‥‥‥‥‥‥本発明（請求項２）の尾錠構造
３０‥‥‥‥‥‥‥従来の時計用バンド
３１ｂ‥‥‥‥‥‥突棒収納部
３９‥‥‥‥‥‥‥固定挿通輪
４０‥‥‥‥‥‥‥従来例の回転ローラー付尾錠構造
【図１】
2006212107.tif 000003
【図２】
2006212107.tif 000004
【図３】
2006212107.tif 000005
【図４】
2006212107.tif 000006
【図５】
2006212107.tif 000007
【図６】
2006212107.tif 000008
【図７】
2006212107.tif 000009
【図８】
2006212107.tif 000010
【図９】
2006212107.tif 000011
【図１０】
2006212107.tif 000012
【図１１】
2006212107.tif 000013
【図１２】
2006212107.tif 000014
【図１３】
2006212107.tif 000015
【図１４】
2006212107.tif 000016
【図１５】
2006212107.tif 000017
【図１６】
2006212107.tif 000018